(57)【要約】  本発明は、ベアラ処理方法及び装置を提供し、前記方法は、ソース基地局がターゲット基地局のローカルインターネットプロトコルアクセスＬＩＰＡ能力情報を取得するステップと、ソース基地局がＬＩＰＡ能力情報によってターゲット基地局が端末の活性化されたＬＩＰＡベアラを保持するか否かを判断するステップと、ソース基地局が判断結果によってＬＩＰＡベアラを管理するステップと、を含む。本発明によれば、従来技術における移動性決定を早めに行うことができず、且つＸ２リンクのハンドオーバー要求に対して移動性制御を行うことができない問題を解决して、リソース消費及びシグナリングオーバーヘッドを節約する効果が奏される。【選択図】図１
2017536728.tif 000002
【特許請求の範囲】
【請求項１】
ソース基地局がターゲット基地局のローカルインターネットプロトコルアクセス（ＬＩＰＡ）能力情報を取得するステップと、
前記ソース基地局が前記ＬＩＰＡ能力情報によって前記ターゲット基地局が端末の活性化されたＬＩＰＡベアラを保持するか否かを判断するステップと、
前記ソース基地局が判断結果によって前記ＬＩＰＡベアラを管理するステップと
を含む
ことを特徴とするベアラ処理方法。
【請求項２】
前記ソース基地局が判断結果によって前記ＬＩＰＡベアラを管理するステップは、
前記判断結果が否であり、且つ前記端末が非ＬＩＰＡベアラをサポートする場合、前記ソース基地局が前記ＬＩＰＡベアラを解放するステップ、及び、
前記判断結果が否であり、且つ前記端末がＬＩＰＡベアラのみをサポートする場合、前記ソース基地局が、前記端末に対して、前記ターゲット基地局に移動するように通知するステップ
のうちの１つを含む
ことを特徴とする請求項１に記載のベアラ処理方法。
【請求項３】
前記ソース基地局が前記ＬＩＰＡベアラを解放した後、
前記端末が前記非ＬＩＰＡベアラを介して前記ターゲット基地局にハンドオーバーするステップをさらに含む
ことを特徴とする請求項２に記載のベアラ処理方法。
【請求項４】
前記ソース基地局が前記ターゲット基地局の前記ＬＩＰＡ能力情報を取得する方法は、
スニフ機能エンティティによって前記ＬＩＰＡ能力情報を取得する方法、
前記端末が報知した前記ターゲット基地局の測定報告によって前記ＬＩＰＡ能力情報を取得する方法、及び、
ロングタームエボリューションＬＴＥプロトコルのＸ２インターフェースを介して前記ＬＩＰＡ能力情報を取得する方法
のうちの少なくとも１つを含む
ことを特徴とする請求項１に記載のベアラ処理方法。
【請求項５】
前記ソース基地局が前記ターゲット基地局の前記ＬＩＰＡ能力情報を取得するステップは、
前記ターゲット基地局が所属しているローカルネットワークの識別子、前記ターゲット基地局が接続されているローカルゲートウェイＬＧＷの識別子、前記ターゲット基地局が接続されているＬＧＷのアドレスのうちの少なくとも１つの前記ターゲット基地局の情報を取得するステップを含む
ことを特徴とする請求項１に記載のベアラ処理方法。
【請求項６】
前記ソース基地局が前記ＬＩＰＡ能力情報によって前記ターゲット基地局が前記端末の活性化されたＬＩＰＡベアラを保持するか否かを判断するステップは、
前記ソース基地局のローカルネットワーク識別子と前記ターゲット基地局が所属しているローカルネットワークの識別子とが一致している場合、前記ソース基地局が接続されているＬＧＷの識別子と前記ターゲット基地局が接続されているＬＧＷの識別子とが一致している場合、及び、前記ソース基地局が接続されているＬＧＷのアドレスと前記ターゲット基地局が接続されているＬＧＷのアドレスとが一致している場合のうちの少なくとも１つの場合に、前記ターゲット基地局が前記端末の活性化されたＬＩＰＡベアラを保持すると確定し、前記少なくとも１つの場合でなければ、前記ターゲット基地局が前記端末の活性化されたＬＩＰＡベアラを保持しないと確定するステップを含む
ことを特徴とする請求項５に記載のベアラ処理方法。
【請求項７】
前記ソース基地局が前記判断結果によって前記端末のＬＩＰＡベアラを管理するステップは、
前記判断結果が前記ターゲット基地局が端末の活性化されたＬＩＰＡベアラを保持するものである場合、前記ソース基地局が、前記端末に対して、前記ＬＩＰＡベアラを介して前記ターゲット基地局にハンドオーバーするように通知するステップをさらに含む
ことを特徴とする請求項１に記載のベアラ処理方法。
【請求項８】
ソース基地局に用いられるベアラ処理装置であって、
ターゲット基地局のローカルインターネットプロトコルアクセス（ＬＩＰＡ）能力情報を取得する取得モジュールと、
前記ＬＩＰＡ能力情報によって前記ターゲット基地局が端末の活性化されたＬＩＰＡベアラを保持するか否かを判断する判断モジュールと、
判断結果によって前記ＬＩＰＡベアラを管理する管理モジュールと
を備える
ことを特徴とするベアラ処理装置。
【請求項９】
前記管理モジュールは、
前記判断結果が否であり、且つ前記端末が非ＬＩＰＡベアラをサポートする場合、前記ＬＩＰＡベアラを解放する解放ユニットと、
前記判断結果が否であり、且つ前記端末がＬＩＰＡベアラのみをサポートする場合、前記端末に対して、前記ターゲット基地局に移動するように通知する第１の通知ユニットと
をさらに備える
ことを特徴とする請求項８に記載のベアラ処理装置。
【請求項１０】
前記管理モジュールは、
前記判断結果が前記ターゲット基地局が端末の活性化されたＬＩＰＡベアラを保持するものである場合、前記端末に対して、前記ＬＩＰＡベアラを介して前記ターゲット基地局にハンドオーバーするように通知する第２の通知ユニットをさらに備える
ことを特徴とする請求項８に記載のベアラ処理装置。
【発明の詳細な説明】
【技術分野】
【０００１】
本発明は、通信分野に関し、特にベアラ処理方法及び装置に関する。
【背景技術】
【０００２】
ローカルインターネットアクセス（Ｌｏｃａｌ  ＩＰ  Ａｃｃｅｓｓ、単にＬＩＰＡと称する）は、ユーザ装置（Ｕｓｅｒ  Ｅｑｕｉｐｍｅｎｔ、単にＵＥと称する）がイボルブドホーム基地局（ｅｖｏｌｖｅｄ  Ｈｏｍｅ  ＮｏｄｅＢ、単にｅＨＮＢと称する）を介して、ローカルネットワーク（ホーム又は企業ネットワーク）にアクセスすることができる技術である。ＨｅＮＢにアクセスしたＵＥは、ローカルゲートウェイ（Ｌｏｃａｌ  Ｇａｔｅｗａｙ、単にＬＧＷと称する）を介して、ローカルネットワークにアクセスすることができ、且つ、ユーザデータはオペレータコアネットワークを経由する必要がない。図５は従来技術に係るローカルホーム基地局ネットワークを示す図である。
【０００３】
第３世代移動通信標準化組織（３ｒｄ  Ｇｅｎｅｒａｔｉｏｎ  Ｐａｒｔｎｅｒｓｈｉｐ  Ｐｒｏｊｅｃｔ、単に３ＧＰＰと称する）のＲ１０段階において、ＨｅＮＢとＬＧＷとは同一の物理エンティティに配置され、且つ、ＬＩＰＡ接続の移動性をサポートしない。即ち、ＬＩＰＡ接続状態にあるＵＥがＨｅＮＢカバレッジ領域の外に移動すると、ＬＩＰＡベアラは一般的に先に解放され、その後、ＵＥが他のターゲット基地局にハンドオーバーすることは許可される。
【０００４】
３ＧＰＰ  Ｒ１１段階において、ＨｅＮＢとＬＧＷとはそれぞれ独立した物理エンティティであってもよく、ＬＩＰＡ接続のローカルホーム基地局ネットワーク（Ｌｏｃａｌ  Ｈ（ｅ）ＮＢ  Ｎｅｔｗｏｒｋ、単にＬＨＮと称する）内での連続性をサポートする。１つのＬＨＮは、１組のＨｅＮＢから成り、これらのＨｅＮＢは１つ又は複数のＬＧＷを介して、ローカルネットワークのＩＰ接続を取得することができる。１つのＨｅＮＢは１つのＬＨＮのみに属し、１つのＬＧＷも１つのＬＨＮのみに属する。ＵＥが同じＬＨＮの下でのＨｅＮＢの間で移動する場合には、ＬＩＰＡ接続の連続性をサポートする必要があり、この場合にはＬＩＰＡ接続のＬＧＷが変わらないことが要求される。
【発明の概要】
【発明が解決しようとする課題】
【０００５】
従来技術のＬＩＰＡ移動性制御は、主に、ＨｅＮＢゲートウェイ（ＧａｔｅＷａｙ、単にＧＷと称する）又は移動性管理エンティティ（Ｍｏｂｉｌｉｔｙ  Ｍａｎａｇｅｍｅｎｔ  Ｅｎｔｉｔｙ、単にＭＭＥと称する）にあり、その欠点は、早めに移動性決定を行うことができず、ハンドオーバー要求メッセージを受信した後のみに判定することができ、且つ、Ｘ２リンクのハンドオーバー要求に対して移動性制御を行うことができないことである。
【０００６】
従来技術において、移動性決定を早めに行うことができず、且つ、Ｘ２リンクのハンドオーバー要求に対して移動性制御を行うことができない問題に対して、有効な解決策がまだ提案されていない。
【０００７】
本発明は、少なくとも従来技術における移動性決定を早めに行うことができず、且つＸ２リンクのハンドオーバー要求に対して移動性制御を行うことができない問題を解决するためのベアラ処理方法及び装置を提供する。
【課題を解決するための手段】
【０００８】
本発明の一実施例によれは、ベアラ処理方法が提供され、前記ベアラ処理方法は、ソース基地局がターゲット基地局のローカルインターネットプロトコルアクセス（ＬＩＰＡ）能力情報を取得するステップと、前記ソース基地局が前記ＬＩＰＡ能力情報によって前記ターゲット基地局が端末の活性化されたＬＩＰＡベアラを保持するか否かを判断するステップと、前記ソース基地局が判断結果によって前記ＬＩＰＡベアラを管理するステップと、を含む。
【０００９】
本発明の実施例で、前記ソース基地局が判断結果によって前記ＬＩＰＡベアラを管理するステップは、前記判断結果が否であり、且つ前記端末が非ＬＩＰＡベアラをサポートする場合、前記ソース基地局が前記ＬＩＰＡベアラを解放するステップ、及び、前記判断結果が否であり、且つ前記端末がＬＩＰＡベアラのみをサポートする場合、前記ソース基地局が、前記端末に対して、前記ターゲット基地局に移動するように通知するステップのうちの１つを含む。
【００１０】
本発明の実施例で、前記ソース基地局が前記ＬＩＰＡベアラを解放した後、前記端末は前記非ＬＩＰＡベアラを介して前記ターゲット基地局にハンドオーバーするステップをさらに含む。
【００１１】
本発明の実施例で、前記ソース基地局が前記ターゲット基地局の前記ＬＩＰＡ能力情報を取得する方法は、スニフ機能エンティティによって前記ＬＩＰＡ能力情報を取得する方法、前記端末が報知した前記ターゲット基地局の測定報告によって前記ＬＩＰＡ能力情報を取得する方法、及び、ロングタームエボリューションＬＴＥプロトコルのＸ２インターフェースを介して前記ＬＩＰＡ能力情報を取得する方法のうちの少なくとも１つを含む。
【００１２】
本発明の実施例で、前記ソース基地局が前記ターゲット基地局の前記ＬＩＰＡ能力情報を取得するステップは、前記ターゲット基地局が所属しているローカルネットワークの識別子、前記ターゲット基地局が接続されているローカルゲートウェイＬＧＷの識別子、前記ターゲット基地局が接続されているＬＧＷのアドレスのうちの少なくとも１つの前記ターゲット基地局の情報を取得するステップを含む。
【００１３】
本発明の実施例で、前記ソース基地局が前記ＬＩＰＡ能力情報によって前記ターゲット基地局が前記端末の活性化されたＬＩＰＡベアラを保持するか否かを判断するステップは、前記ソース基地局のローカルネットワーク識別子と前記ターゲット基地局が所属しているローカルネットワークの識別子とが一致している場合、前記ソース基地局が接続されているＬＧＷの識別子と前記ターゲット基地局が接続されているＬＧＷの識別子とが一致している場合、及び、前記ソース基地局が接続されているＬＧＷのアドレスと前記ターゲット基地局が接続されているＬＧＷのアドレスとが一致している場合のうちの少なくとも１つの場合に、前記ターゲット基地局が前記端末の活性化されたＬＩＰＡベアラを保持すると確定し、前記少なくとも１つの場合でなければ、前記ターゲット基地局が前記端末の活性化されたＬＩＰＡベアラを保持しないと確定するステップを含む。
【００１４】
本発明の実施例で、前記ソース基地局が前記判断結果によって前記端末のＬＩＰＡベアラを管理するステップは、前記判断結果が前記ターゲット基地局が前記端末の活性化されたＬＩＰＡベアラを保持するものである場合、前記ソース基地局が、前記端末に対して、前記ＬＩＰＡベアラを介して前記ターゲット基地局にハンドオーバーするように通知するステップをさらに含む。
【００１５】
本発明の他の実施例によれば、ソース基地局に用いられるベアラ処理装置がさらに提供され、前記ベアラ処理装置は、ターゲット基地局のローカルインターネットプロトコルアクセス（ＬＩＰＡ）能力情報を取得する取得モジュールと、前記ＬＩＰＡ能力情報によって前記ターゲット基地局が端末の活性化されたＬＩＰＡベアラを保持するか否かを判断する判断モジュールと、判断結果によって前記ＬＩＰＡベアラを管理する管理モジュールと、を備える。
【００１６】
本発明の実施例で、前記管理モジュールは、前記判断結果が否であり、且つ前記端末が非ＬＩＰＡベアラをサポートする場合、前記ＬＩＰＡベアラを解放する解放ユニットと、前記判断結果が否であり、且つ前記端末がＬＩＰＡベアラのみをサポートする場合、前記端末に対して、前記ターゲット基地局に移動するように通知する第１の通知ユニットと、をさらに備える。
【００１７】
本発明の実施例で、前記管理モジュールは、前記判断結果が前記ターゲット基地局が前記端末の活性化されたＬＩＰＡベアラを保持するものである場合、前記端末に対して、前記ＬＩＰＡベアラを介して前記ターゲット基地局にハンドオーバーするように通知する第２の通知ユニットをさらに備える。
【発明の効果】
【００１８】
本発明の実施例によれば、ソース基地局を利用してターゲット基地局のローカルインターネットプロトコルアクセス（ＬＩＰＡ）能力情報を取得し、ソース基地局がＬＩＰＡ能力情報によってターゲット基地局が端末の活性化されたＬＩＰＡベアラを保持するか否かを判断し、ソース基地局が判断結果によってＬＩＰＡベアラを管理することによって、従来技術における移動性決定を早めに行うことができず、且つＸ２リンクのハンドオーバー要求に対して移動性制御を行うことができない問題を解决して、リソース消費及びシグナリングオーバーヘッドを節約する効果が奏される。
【図面の簡単な説明】
【００１９】
ここの図面は、本発明に対するさらなる理解を提供するためであり、本発明の一部を構成し、本発明の例示的な実施例及び説明は本発明を解釈するためのものであり、本発明に対する不当な限定として構成されない。
【図１】本発明の実施例に係るベアラ処理方法のフローチャートである。
【図２】本発明の実施例に係るベアラ処理装置の構造を示すブロックチャートである。
【図３】本発明の実施例に係るベアラ処理装置の構造を示すブロックチャート１である。
【図４】本発明の実施例に係るベアラ処理装置の構造を示すブロックチャート２である。
【図５】従来技術に係るローカルホーム基地局ネットワークを示す図である。
【図６】本発明の好ましい実施例に係るＬＩＰＡ移動性をサポートするベアラ管理方法を示すフローチャート１である。
【図７】本発明の好ましい実施例に係るＬＩＰＡ移動性をサポートするベアラ管理方法を示すフローチャート２である。
【図８】本発明の好ましい実施例に係るＬＩＰＡベアラを処理する装置がネイバーセルＬＩＰＡ能力を収集する方法１を示す図である。
【図９】本発明の好ましい実施例に係るＬＩＰＡベアラを処理する装置がネイバーセルＬＩＰＡ能力を収集する方法２を示す図である。
【図１０】本発明の好ましい実施例に係るＬＩＰＡベアラを処理する装置がネイバーセルＬＩＰＡ能力を収集する方法３を示す図である。
【図１１】本発明の好ましい実施例に係るＬＩＰＡベアラを処理する装置が移動性を処理する場合を示す図である。
【発明を実施するための形態】
【００２０】
以下、図面を参照しながら実施例を併せて本発明を詳細に説明する。なお、本発明の実施例及び実施例における特徴は衝突しない場合互いに組み合わせてもよい。
【００２１】
本実施例では、ベアラ処理方法を提供し、図１は本発明の実施例に係るベアラ処理方法のフローチャートであり、図１に示すように、フローは下記のステップを含む。
【００２２】
ステップＳ１０２：ソース基地局がターゲット基地局のＬＩＰＡ能力情報を取得する。
【００２３】
ステップＳ１０４：ソース基地局がＬＩＰＡ能力情報によってターゲット基地局が端末の活性化されたＬＩＰＡベアラを保持するか否かを判断する。
【００２４】
ステップＳ１０６：ソース基地局が判断結果によってＬＩＰＡベアラを管理する。
【００２５】
上記のステップによれば、ソース基地局は取得されたターゲット基地局のＬＩＰＡ能力情報が端末の活性化されたＬＩＰＡベアラを保持するか否かを判断することによって、さらに判断結果によってＬＩＰＡベアラを管理する。従来技術において、ソース基地局の上位ＨｅＮＢ  ＧＷ又はＭＭＥがハンドオーバー要求を取得することのみによって、ＬＩＰＡの移動性に対して制御を行うことができ、且つ移動性決定を早めに行うことができない。これに対して、上記のステップは、従来技術における移動性決定を早めに行うことができず、且つＸ２リンクのハンドオーバー要求に対して移動性制御を行うことができない問題を解决して、リソース消費及びシグナリングオーバーヘッドを節約する効果が奏される。ここで、ターゲット基地局はソース基地局のネイバーセル基地局であってもよいが、これに限定されるものではない。
【００２６】
上記のステップＳ１０６は、ソース基地局によりＬＩＰＡベアラを管理するステップに関する。なお、ソース基地局は様々な方法でＬＩＰＡベアラを管理することができる。以下、これについて例を挙げて説明する。好ましい実施例において、ソース基地局がＬＩＰＡ能力情報によって、ターゲット基地局が端末の活性化されたＬＩＰＡベアラをサポートしないと判断し、且つ端末が非ＬＩＰＡベアラ（例えば、共通ベアラ）をサポートする場合、ソース基地局はＬＩＰＡベアラを解放して、リソース消費及びシグナリングオーバーヘッドを節約する。他の好ましい実施例において、ソース基地局がＬＩＰＡ能力情報によってターゲット基地局が端末の活性化されたＬＩＰＡベアラを保持しないと判断し、且つ端末がＬＩＰＡベアラのみをサポートする場合、ソース基地局は最適な移動性アルゴリズムを直接に選択して、端末に対して、ターゲット基地局に移動するように通知することができる。他の好ましい実施例において、ターゲット基地局が端末の活性化されたＬＩＰＡベアラをサポートすると確定した場合、ソース基地局は、端末に対して、ＬＩＰＡベアラを介してターゲット基地局にハンドオーバーするように通知する。
【００２７】
ソース基地局がＬＩＰＡベアラを管理する最終的な目標は、端末がターゲット基地局に成功的にハンドオーバーすることを実現することである。好ましい実施例において、ソース基地局がＬＩＰＡベアラを解放した後、端末は非ＬＩＰＡベアラを介してターゲット基地局にハンドオーバーして、端末のソース基地局からターゲット基地局へのハンドオーバーを完成させる。
【００２８】
上記のステップＳ１０２は、ソース基地局がターゲット基地局のローカルインターネットプロトコルアクセス（ＬＩＰＡ）能力情報を取得するステップに関し、ソース基地局は様々な方法でターゲット基地局のＬＩＰＡ能力情報を取得することができる。好ましい実施例において、ソース基地局がターゲット基地局のＬＩＰＡ能力情報を取得する方法は、スニフ機能エンティティによってＬＩＰＡ能力情報を取得する方法、端末が報知したターゲット基地局の測定報告によって前記ＬＩＰＡ能力情報を取得する方法、及び、ロングタームエボリューションＬＴＥプロトコルのＸ２インターフェースを介してＬＩＰＡ能力情報を取得する方法のうちの少なくとも１つを含む。ソース基地局がターゲット基地局のＬＩＰＡ能力情報を取得する的方法は、実際の状況に応じて柔軟に選択することができる。
【００２９】
好ましい実施例において、ソース基地局がターゲット基地局の前記ＬＩＰＡ能力情報を取得するステップは、具体的に、ターゲット基地局が所属しているローカルネットワークの識別子、ターゲット基地局が接続されているローカルゲートウェイＬＧＷの識別子、ターゲット基地局が接続されているＬＧＷのアドレスを取得するステップを含む。
【００３０】
ステップＳ１０４は、ソース基地局がＬＩＰＡ能力情報によってターゲット基地局が端末の活性化されたＬＩＰＡベアラを保持するか否かを判断するステップに関する。好ましい実施例において、ソース基地局のローカルネットワーク識別子とターゲット基地局が所属しているローカルネットワークの識別子とが一致している場合、ソース基地局が接続されているＬＧＷの識別子とターゲット基地局が接続されているＬＧＷの識別子とが一致している場合、及び、ソース基地局が接続されているＬＧＷのアドレスとターゲット基地局が接続されているＬＧＷのアドレスとが一致している場合のうちの少なくとも１つの場合に、ターゲット基地局が端末の活性化されたＬＩＰＡベアラを保持すると確定し、前記少なくとも１つの場合でなければ、ターゲット基地局が端末の活性化されたＬＩＰＡベアラを保持しないと確定する。
【００３１】
本実施例では、上記の実施例及び好ましい実施形態を実現するためのベアラ処理装置をさらに提供し、すでに説明したものは説明を省略する。以下に記述されている用語「モジュール」は、所定機能を実現できるソフトウェア及び／又はハードウェアの組み合わせである。以下の実施例に記述される装置がソフトウェアで実現されることが好ましいが、ハードウェア、又はソフトウェア及びハードウェアの組み合わせで実現することも可能であり且つ構想されうるものである。
【００３２】
図２は本発明の実施例に係るベアラ処理装置の構造を示すブロックチャートである。図２に示すように、前記装置はソース基地局に用いられ、ターゲット基地局のＬＩＰＡ能力情報を取得する取得モジュール２２と、ＬＩＰＡ能力情報によってターゲット基地局が端末の活性化されたＬＩＰＡベアラを保持するか否かを判断する判断モジュール２４と、判断結果によってＬＩＰＡベアラを管理する管理モジュール２６と、を備る。
【００３３】
図３は本発明の実施例に係るベアラ処理装置の構造を示すブロックチャート１である。図３に示すように、管理モジュール２６は、判断結果が否であり、且つ端末が非ＬＩＰＡベアラをサポートする場合、ＬＩＰＡベアラを解放する解放ユニット２６２と、判断結果が否であり、且つ端末がＬＩＰＡベアラのみをサポートする場合、端末に対して、ターゲット基地局に移動するように通知する第１の通知ユニット２６４と、を備える。
【００３４】
図４は本発明の実施例に係るベアラ処理装置の構造を示すブロックチャート２である。図４に示すように、管理モジュール２６は、判断結果がターゲット基地局が端末の活性化されたＬＩＰＡベアラを保持するものである場合、端末に対して、ＬＩＰＡベアラを介してターゲット基地局にハンドオーバーするように通知する第２の通知ユニット２６６をさらに備える。
【００３５】
以下、好ましい実施例を併せて従来技術に存在する上記の問題に対して説明し、この好ましい実施例は、上記の実施例及びその好ましい実施形態を併せる。
【００３６】
この好ましい実施例は、ＬＩＰＡ移動性が保持できないと確認した場合に、ＬＩＰＡベアラを非活性化するとともに、可能な限り迅速にＵＥに対してターゲット基地局に移動するように通知するためのＬＩＰＡ移動性をサポートするベアラ管理方法及び装置を提供する。
【００３７】
この好ましい実施例に提供されたローカルＩＰアクセス（ＬＩＰＡ）の移動を処理する時のベアラ管理方法は、
ソース側ＨｅＮＢ基地局がハンドオーバーする必要があるＵＥがＬＩＰＡベアラをすでに活性化したことを確定した場合、収集されたネイバーセルＬＩＰＡ能力サポート情報によって、ＵＥの活性化されたＬＩＰＡベアラがハンドオーバーを行った後保持できるか否かを判断するステップと、
前記ソース側ＨｅＮＢが前記ＬＩＰＡベアラがハンドオーバーを行った後保持できないと確定した後、前記ＬＩＰＡベアラを解放し、前記ＵＥにＬＩＰＡベアラのみが存在していると、ソース側ＨｅＮＢは（ハンドオーバー以外の）最適な移動性アルゴリズムを直接に選択し、ＵＥに対して、ターゲット基地局に移動するように直接に通知することができるステップと
を含む。
【００３８】
この好ましい実施例は、ＬＩＰＡ移動性をサポートするベアラ管理装置を提供し、前記ベアラ管理装置は、
ＨｅＮＢが無線側エアインターフェースでスニファー（ｓｎｉｆｆｅｒ）又は類似のスニフ機能によって、ネイバーセル基地局のＬＩＰＡサポート能力情報を取得することができ、測定報告にネイバーセル基地局のＬＩＰＡサポート能力情報が含まれる場合、ＨｅＮＢが測定報告の受信時に前記情報を収集することができ、ＨｅＮＢがＸ２インターフェース（Ｘ２インターフェースが存在する場合）を介してネイバーセル基地局のＬＩＰＡサポート能力情報を取得することもできる受信モジュール（上記の取得モジュール２２に相当する）と、
ソース側ＨｅＮＢがハンドオーバーする必要があるＵＥがＬＩＰＡベアラをすでに活性化したと確定した場合、ＵＥの活性化されたＬＩＰＡベアラがターゲット基地局にハンドオーバーした後保持できるか否かを判断する判断モジュール（上記の判断モジュール２４に相当する）と、
ソース側ＨｅＮＢが前記ＬＩＰＡベアラがハンドオーバーを行った後保持できないと確定した場合、前記ＬＩＰＡベアラを解放し、前記ＵＥにＬＩＰＡベアラのみが存在していると、ソース側ＨｅＮＢが（ハンドオーバー以外の）最適な移動性アルゴリズムを直接に選択し、ＵＥに対して、ターゲット基地局に移動するように直接に通知することができる解放モジュール（上記の解放ユニット２６２に相当する）と
を備える。
【００３９】
前記方法及び装置は、以下の３つの問題を解決することができる。
【００４０】
１．ソース側ＨｅＮＢがＸ２ハンドオーバーの場面でＬＩＰＡハンドオーバー決定を行うことができるが、他の移動性コントロールポイント（ＨｅＮＢ  ＧＷ又はＭＭＥ等）はこの能力がない。
【００４１】
２．ソース側ＨｅＮＢ決定はＬＩＰＡベアラ解放を開始する必要があると、上位コントロールポイント（ＨｅＮＢ  ＧＷ又はＭＭＥ等）により決定する必要がなくなり、シグナリング消費を減少するとともに、ベアラの解放を速めることができる。
【００４２】
３．ソース側ＨｅＮＢがハンドオーバーできないと認識すると、全てのベアラを解放しなければならないので、他の最適な移動性策略を迅速に選択して、ＵＥをターゲット先に移動させることができ、もし１回のハンドオーバー予備プロセスをしてから決定すると、リソース消費及びシグナリングオーバーヘッドが増加される。
【００４３】
この好ましい実施例の技術的案は、例えば、汎用パケット無線サービス（Ｇｅｎｅｒａｌ  Ｐａｃｋｅｔ  Ｒａｄｉｏ  Ｓｅｒｖｉｃｅ、単にＧＰＲＳと称する）、ロングタームエボリューション（Ｌｏｎｇ  Ｔｅｒｍ  Ｅｖｏｌｕｔｉｏｎ、単にＬＴＥと称する）システム、ＬＴＥ周波数分割デュプレクス（Ｆｒｅｑｕｅｎｃｙ  Ｄｉｖｉｓｉｏｎ  Ｄｕｐｌｅｘ、単にＦＤＤと称する）システム、ＬＴＥ時分割デュプレクス（Ｔｉｍｅ  Ｄｉｖｉｓｉｏｎ  Ｄｕｐｌｅｘ、単にＴＤＤと称する）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、単にＵＭＴＳと称する）、ワールドワイドインターオペラビリティフォーマイクロウェーブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、単にＷｉＭＡＸと称する）通信システム、符号分割多元接続（Ｃｏｄｅ  Ｄｉｖｉｓｉｏｎ  Ｍｕｌｔｉｐｌｅ  Ａｃｃｅｓｓ、単にＣＤＭＡと称する）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、単にＷＣＤＭＡと称する）システム、グローバル移動体通信（Ｇｌｏｂａｌ  Ｓｙｓｔｅｍ  ｏｆ  Ｍｏｂｉｌｅｃｏｍｍｕｎｉｃａｔｉｏｎ、単にＧＳＭと称する）システム等の各種の通信システムに適用されることができる。
【００４４】
この好ましい実施例において、ユーザ装置（Ｕｓｅｒ  Ｅｑｕｉｐｍｅｎｔ、単にＵＥと称する）は、端末（Ｔｅｒｍｉｎａｌ）、移動局（Ｍｏｂｉｌｅ  Ｓｔａｔｉｏｎ、単にＭＳと称する）、移動体端末（Ｍｏｂｉｌｅ  Ｔｅｒｍｉｎａｌ）等と称され、前記ＵＥは無線アクセスネットワーク（Ｒａｄｉｏ  Ａｃｃｅｓｓ  Ｎｅｔｗｏｒｋ、単にＲＡＮと称する）を介してコアネットワークと通信することができる。例えば、ＵＥは携帯電話、移動体端末を有するコンピュータ、ポータブル/ポケット/ハンドヘルド/コンピュータ内蔵/車載の移動体装置であってもよく、それらは無線アクセスネットワークと音声及び／又はデータを交換する。
【００４５】
なお、本発明の実施例で、ＬＩＰＡ移動性ベアラを処理する装置は、ＬＴＥ中のイボルブド基地局（Ｅｎｖｏｌｖｅｄ  Ｎｏｄｅ  Ｂ、単にＥＮＢ又はｅ−ＮｏｄｅＢと称する）であってもよく、ＷＣＤＭＡ中の基地局（ＮｏｄｅＢ、単にＮＢと称する）であってもよく、さらに、ＧＳＭ又はＣＤＭＡ中の基地局（Ｂａｓｅ  Ｔｒａｎｓｃｅｉｖｅｒ  Ｓｔａｔｉｏｎ、単にＢＴＳと称する）であってもよく、この好ましい実施例はこれに対して限定しない。
【００４６】
この好ましい実施例は、ヘテロジニアスネットワークに適用されることができる。また、ホーム基地局ＨｅＮＢはマクロセル中のマクロ基地局又はマイクロセル中のマイクロ基地局であってもよい。しかしながら、説明の便宜上、後述する実施例では、一括してホーム基地局ＨｅＮＢ及びユーザ装置ＵＥを例として説明する。また、本明細書における用語「及び／又は」は、関連するオブジェクトを説明する関連付けにすぎず、３つの関係が存在できることを表す。例えば、Ａ及び／又はＢは、Ａが単独に存在し、Ａ及びＢが同時に存在し、Ｂが単独に存在する３つの場合を表す。また、本明細書における符号「／」は、一般的に前後関連するオブジェクトの間が「又は」の関係であることを表す。
【００４７】
以下、この好ましい実施例の目的及び技術的案をより明確にさせるために、図面を併せてこの好ましい実施例の実施形態をさらに詳細に説明する。
【００４８】
図６は本発明の好ましい実施例に係るＬＩＰＡ移動性をサポートするベアラ管理方法を示すフローチャート１である。図６に示すように、この好ましい実施例のＬＩＰＡ移動性をサポートするベアラ管理方法は、下記のステップを含む。
【００４９】
ステップＳ６０２：ソース側ＨｅＮＢがネイバーセル基地局のＬＩＰＡサポート能力情報を収集する。
【００５０】
ステップＳ６０４：ソース側ＨｅＮＢが、ＵＥに活性化されたＬＩＰＡベアラが存在し、且つハンドオーバーしようとすることを確認し、ＬＩＰＡベアラがハンドオーバーの後保持できるか否かを判断する。
【００５１】
ステップＳ６０６：ソース側ＨｅＮＢが、ＵＥのＬＩＰＡベアラがハンドオーバーを行った後保持できず、且つＵＥに非ＬＩＰＡベアラも存在すると確定すると、まず前記ＬＩＰＡベアラを解放し、次に、非ＬＩＰＡベアラのみを含んでいるハンドオーバー要求メッセージをターゲット基地局に送信する。前記ＵＥにＬＩＰＡベアラのみが存在していると、ソース側ＨｅＮＢは（ハンドオーバー以外の）最適な移動アルゴリズムを直接に選択し、ＵＥに対して、ターゲット基地局に移動するように直接に通知することができる。
【００５２】
実施例において、ソース側ＨｅＮＢはネイバーセル基地局のＬＩＰＡサポート能力情報を収集する様々な方法を有してもよい。
【００５３】
方法１：ソース側ＨｅＮＢがｓｎｉｆｆｅｒ又はスニフ機能によってネイバーセル基地局のＬＩＰＡ能力情報を取得する。
【００５４】
方法２：ソース側ＨｅＮＢが、ＵＥが報知したネイバーセル測定報告情報からネイバーセル基地局のＬＩＰＡ能力情報を取得する。
【００５５】
方法３：ソース側ＨｅＮＢがＬＴＥプロトコルのＸ２インターフェース（又は他の基地局の間のインターフェース）を介してネイバーセル基地局のＬＩＰＡ能力情報を取得する。
【００５６】
ＵＥがアクセスする時又はＥＲＡＢが動的に確立する時のコンテキストにはＬＩＰＡベアラ情報が含まれており、ソース側ＨｅＮＢが、ＵＥがハンドオーバー条件を満たすと判断し、且つこの時のＵＥがＬＩＰＡベアラを含むことを知っている場合に、ネイバーセル基地局のＬＩＰＡサポート能力情報を判断する。
【００５７】
ネイバーセル基地局のＬＩＰＡサポート能力情報は、ネイバーセル基地局が所属しているローカルネットワークの識別子、ネイバーセル基地局が接続されているＬＧＷの識別子、ネイバーセル基地局が接続されているＬＧＷのアドレスのうちの少なくとも１つである。ソース側ＨｅＮＢがこれらの情報中の少なくとも１つを取得すると、ネイバーセル基地局がＬＩＰＡをサポートすることを表す。ネイバーセルがＬＩＰＡをサポートしないと、これらの情報中の１つ又は複数を放送しない、又はインターフェースを介して要求基地局に伝達しない。
【００５８】
ステップＳ６０６において、ソース側ＨｅＮＢがターゲット基地局がＬＩＰＡベアラの移動性をサポートするか否かを判断するステップは、ターゲット基地局がソース側ＨｅＮＢのローカルネットワークの識別子と同じであるか否かを確定するステップを含んでもよい。同じであれば、ターゲット基地局は前記ＬＩＰＡベアラをサポートし、同じでなければ、サポートしない。ターゲット基地局が接続しているＬＧＷの識別子又はアドレスを確定するステップをさらに含んでもよく、ソース側ＨｅＮＢが接続しているＬＧＷの識別子又はアドレスと同じであれば、ターゲット基地局は前記ＬＩＰＡベアラをサポートし、同じでなければ、ソース側ＨｅＮＢは確定せず、ＨｅＮＢ  ＧＷ及びＭＭＥ等のコアネットワークノードに任せてさらに判断する。収集されたターゲット基地局情報にＬＩＰＡに関連な上記の識別子がないと確定すると、ソース側ＨｅＮＢはターゲット基地局がＬＩＰＡベアラの移動性をサポートしないと確認する。
【００５９】
ソース側ＨｅＮＢが、前記ＵＥのＬＩＰＡベアラがハンドオーバーを行った後保持できず、且つＵＥに非ＬＩＰＡベアラも存在すると確定すると、まず前記ＬＩＰＡベアラを解放し、次に、非ＬＩＰＡベアラのみを含んでいるハンドオーバー要求メッセージをターゲット基地局に送信する。ソース側ＨｅＮＢがタイムリーに知覚し、且つＬＩＰＡベアラ解放をトリガできると、前記解放がより迅速にできる。もしＨｅＮＢ  ＧＷ又はＭＭＥ等のコアネットワークノードにより、ＬＩＰＡベアラがハンドオーバーの後持続できないと知覚した後、ＬＩＰＡベアラ解放をトリガすると、比較的に遅くて、シグナリングオーバーヘッド及びリソース浪費も増加させる。
【００６０】
ソース側ＨｅＮＢが前記ＵＥのＬＩＰＡベアラがハンドオーバーを行った後保持できず、且つＵＥにＬＩＰＡベアラのみが存在していると確定すると、ソース側ＨｅＮＢは（ハンドオーバー以外の）最適な移動性アルゴリズムを直接に選択し、ＵＥに対して、ターゲット基地局に移動するように直接に通知することができる。同様に、前記判断がＨｅＮＢ  ＧＷ又はＭＭＥ等のコアネットワークノードにより完成される場合にも、ＵＥの移動を遅延させ、且つシグナリングオーバーヘッド及びリソース浪費を増加させる。
【００６１】
図７は本発明の好ましい実施例に係るＬＩＰＡ移動性をサポートするベアラ管理方法を示すフローチャート２である。図７に示すように、フローは下記のステップを含む。
【００６２】
ステップＳ７０２：ソース側ＨｅＮＢがネイバーセル基地局のＬＩＰＡサポート能力を収集しており、且つＵＥがＬＩＰＡベアラをすでに活性化した場合に、ＵＥがネイバーセル（基地局）にハンドオーバーできると判断する。
【００６３】
ステップＳ７０４：ソース側ＨｅＮＢが、収集されたネイバーセル（基地局）ＬＩＰＡサポート能力によって、ネイバーセル（基地局）がＬＩＰＡベアラを進入許可させるか否かを判断し、判断結果がＹＥＳである場合、ステップＳ７０６を実行し、判断結果がＮＯである場合、ステップＳ７０８を実行する。
【００６４】
ステップＳ７０６：ソース側ＨｅＮＢがターゲットネイバーセル（基地局）に対するハンドオーバー要求を開始し、要求にはＬＩＰＡベアラ及び（又は）非ＬＩＰＡベアラが含まれる。
【００６５】
ステップＳ７０８：ＬＩＰＡベアラのみが存在しているか否かを判断し、判断結果がＹＥＳである場合、ステップＳ７１０を実行し、判断結果がＮＯである場合、ステップＳ７１２を実行する。
【００６６】
ステップＳ７１０：ソース側ＨｅＮＢが（ハンドオーバー以外の）最適な移動性アルゴリズムを選択してＵＥをターゲット基地局に移動させる。
【００６７】
ステップＳ７１２：ソース側ＨｅＮＢがＬＩＰＡベアラを解放することを開始するとともに、ターゲットネイバーセル（基地局）に対するハンドオーバー要求を開始する。
【００６８】
上述の図６〜図７では、本発明の好ましい実施例に係るＬＩＰＡ移動性ベアラ管理方法を詳細に説明しており、以下では、図８〜図１１を併せて本発明の好ましい実施例に係るＬＩＰＡ移動性をサポートするベアラ管理装置を詳細に説明する。
【００６９】
図８〜図１０は本発明の好ましい実施例に係るＬＩＰＡベアラを処理する装置がネイバーセルＬＩＰＡ能力を収集する３つの方法を示す図である。
【００７０】
図８は本発明の好ましい実施例に係るＬＩＰＡベアラを処理する装置がネイバーセルＬＩＰＡ能力を収集する方法１を示す図である。図８に示すように、前記ベアラ管理装置は、１つのネイバーセルＬＩＰＡ能力収集モジュール（上記の取得モジュール２２に相当する）を備える。ネイバーセル装置は、自身のＬＩＰＡサポート能力をブロードキャストメッセージで送信することができ、ソース側装置は無線側でｓｎｉｆｆｅｒ又はスニフ機能によってネイバーセルのＬＩＰＡサポート能力を取得することができる。同様に、ネイバーセル装置もソース側装置のＬＩＰＡ能力を取得することができる。
【００７１】
図９は本発明の好ましい実施例に係るＬＩＰＡベアラを処理する装置がネイバーセルＬＩＰＡ能力を収集する方法２を示す図である。図９に示すように、前記ベアラ管理装置は、１つのネイバーセルＬＩＰＡ能力収集モジュール（上記の取得モジュール２２に相当する）を備える。ＵＥの測定報告情報にはネイバーセルのＬＩＰＡサポート能力が含まれており、ソース側ＨｅＮＢはそれを取得した後保存する。
【００７２】
図１０は本発明の好ましい実施例に係るＬＩＰＡベアラを処理する装置がネイバーセルＬＩＰＡ能力を収集する方法３を示す図である。図１０に示すように、前記ベアラ管理装置は、１つのネイバーセルＬＩＰＡ能力収集モジュール（上記の取得モジュール２２に相当する）を備える。ベアラ管理装置が相手装置のＬＩＰＡサポート能力情報を要求しようとする場合には、ＬＴＥプロトコルのＸ２インターフェース（又は他のシステムの類似のインターフェース）を介して相手先にＬＩＰＡ能力要求メッセージを送信することができ、相手先から応答メッセージが与えられ、もしメッセージに相手装置が所属しているローカルネットワークの識別子、接続されたＬＧＷの識別子、接続されたＬＧＷのアドレスのうちの少なくとも１つが含まれると、相手装置がＬＩＰＡ能力情報をサポートすることを表し、含まれなければ、サポートしないことを表す。要求元のベアラ管理装置はネイバーセルＬＩＰＡサポート能力情報を保存する。
【００７３】
図１１は本発明の好ましい実施例に係るＬＩＰＡベアラを処理する装置が移動性を処理する場合を示す図である。図１１にはＬＩＰＡ移動性をサポートするベアラ管理装置が示されており、前記装置は、（１）ネイバーセルＬＩＰＡ能力収集モジュールと、（２）判断モジュールと、（３）解放モジュールと、（４）移動性モジュールと、の４つのモジュールを備える。
【００７４】
ネイバーセルＬＩＰＡ能力収集モジュールは、主に上文で言及された方法によって、ネイバーセルのＬＩＰＡサポート能力を収集し、判断モジュールのためにデータサポートを提供する。
【００７５】
判断モジュールは、前記ＵＥが活性化されたＬＩＰＡベアラを持ち、且つハンドオーバー開始条件に満たすことを見つけると、ネイバーセルとこの基地局のＬＩＰＡサポート能力を比較することによって、ＵＥが移動した後ＬＩＰＡベアラが保持できるか否かを判断する。
【００７６】
判断モジュールが、ＵＥのＬＩＰＡベアラが移動した後保持できず、且つＵＥに非ＬＩＰＡベアラが存在することを見つけると、解放モジュールに対して、ＬＩＰＡベアラの解放を開始するように通知し、解放モジュールは前記プロセスを実行する。
【００７７】
判断モジュールが、ＵＥのＬＩＰＡベアラが移動した後保持できず、且つＵＥにＬＩＰＡベアラのみが存在していることを見つけると、移動性モジュールに対して、他の方法を採用してＵＥをターゲット基地局に移動させるように通知し、移動性モジュールはハンドオーバー以外の最適な移動性方法を選択して前記プロセスを実行する。
【００７８】
上述のように、本発明の実施例は、ＬＩＰＡ移動性早期決定をサポートし、且つＸ２インタフェースハンドオーバー決定をサポートする技術的案を提供する。
【００７９】
本発明に提供されたいくつかの実施例において、公開された方法及び装置は、他の方法によって実現されることができることが理解されるべきである。例えば、上記に説明された装置の実施例は例示にすぎず、例えば、前記ユニットの分割は一種の論理機能の分割にすぎず、実際に実現するときには他の分割方法を有してもよく、例えば、複数のユニット又はユニットは別のシステムに組み合わせ又は組み込まれてもよく、又は、一部の特徴は無視してもよく、又は実行しなくてもよい。また、表示又は検討しているお互いの結合又は通信接続は、一部のインターフェース、装置又はユニットの間接的な結合又は通信接続であってもよく、又は、電気的、機械的又は他の形式によって接続されてもよい。
【００８０】
また、当業者にとっては、上記の本発明の各モジュール又は各ステップが、汎用の計算装置により実現されることができ、それらは単体の計算装置に集中されてもよく、又は複数の計算装置により構成されたネットワークに分散されてもよく、選択的に、それらは計算装置の実行可能なプログラムコードにより実現されることができ、これによって、それらを記憶装置の中に記憶させて計算装置により実行されることができ、また、場合によっては、こちらの手順と異なる手順で示した又は説明されたステップを実行し、又はそれらをそれぞれの集積回路モジュールに製造し、又はそれらのうちの複数のモジュール又はステップを単体の集積回路モジュールに製造して実現されることができることが明らかなことである。このように、本発明はいずれの特定のハードウェア及びソフトウェアの組み合わせに限定されない。
【００８１】
以上は本発明の好ましい実施例にすぎず、本発明を限定するものではなく、当業者にとっては、本発明は様々な変更及び変化を有してもよい。本発明の精神及び原則を逸脱しない範囲内でのいずれの変更、代替、変形等は全て本発明の範囲に含まれる。
【産業上の利用可能性】
【００８２】
本発明の実施例に提供された技術的案は、ベアラ処理プロセスに適用されることができ、ソース基地局を利用してターゲット基地局のローカルインターネットプロトコルアクセス（ＬＩＰＡ）能力情報を取得し、ソース基地局がＬＩＰＡ能力情報によってターゲット基地局が端末の活性化されたＬＩＰＡベアラを保持するか否かを判断し、ソース基地局が判断結果によってＬＩＰＡベアラを管理することによって、従来技術における移動性決定を早めに行うことができず、且つＸ２リンクのハンドオーバー要求に対して移動性制御を行うことができない問題を解决して、リソース消費及びシグナリングオーバーヘッドを節約する効果が奏される。
【図１】
2017536728.tif 000003
【図２】
2017536728.tif 000004
【図３】
2017536728.tif 000005
【図４】
2017536728.tif 000006
【図５】
2017536728.tif 000007
【図６】
2017536728.tif 000008
【図７】
2017536728.tif 000009
【図８】
2017536728.tif 000010
【図９】
2017536728.tif 000011
【図１０】
2017536728.tif 000012
【図１１】
2017536728.tif 000013
【手続補正書】
【提出日】平成29年4月3日(2017.4.3)
【手続補正２】
【補正対象書類名】明細書
【補正対象項目名】０００１
【補正方法】変更
【補正の内容】
【０００１】  本発明は、通信分野に関し、特にベアラ処理方法、装置、プログラム、及び記録媒体に関する。
【手続補正３】
【補正対象書類名】明細書
【補正対象項目名】０００７
【補正方法】変更
【補正の内容】
【０００７】  本発明は、少なくとも従来技術における移動性決定を早めに行うことができず、且つＸ２リンクのハンドオーバー要求に対して移動性制御を行うことができない問題を解决するためのベアラ処理方法、装置、プログラム、及び記録媒体を提供する。
【手続補正４】
【補正対象書類名】明細書
【補正対象項目名】００１７
【補正方法】変更
【補正の内容】
【００１７】  本発明の実施例で、前記管理モジュールは、前記判断結果が前記ターゲット基地局が前記端末の活性化されたＬＩＰＡベアラを保持するものである場合、前記端末に対して、前記ＬＩＰＡベアラを介して前記ターゲット基地局にハンドオーバーするように通知する第２の通知ユニットをさらに備える。  本発明の実施例で、プロセッサーに実行されることにより上記方法を実現するプログラムを提供する。  本発明の実施例で、上記プログラムが記録された記録媒体を提供する。
【手続補正５】
【補正対象書類名】特許請求の範囲
【補正対象項目名】全文
【補正方法】変更
【補正の内容】
【特許請求の範囲】
【請求項１】
ソース基地局がターゲット基地局のローカルインターネットプロトコルアクセス（ＬＩＰＡ）能力情報を取得するステップと、  前記ソース基地局が前記ＬＩＰＡ能力情報によって前記ターゲット基地局が端末の活性化されたＬＩＰＡベアラを保持するか否かを判断するステップと、  前記ソース基地局が判断結果によって前記ＬＩＰＡベアラを管理するステップと  を含む  ことを特徴とするベアラ処理方法。
【請求項２】
前記ソース基地局が判断結果によって前記ＬＩＰＡベアラを管理するステップは、  前記判断結果が否であり、且つ前記端末が非ＬＩＰＡベアラをサポートする場合、前記ソース基地局が前記ＬＩＰＡベアラを解放するステップ、及び、  前記判断結果が否であり、且つ前記端末がＬＩＰＡベアラのみをサポートする場合、前記ソース基地局が、前記端末に対して、前記ターゲット基地局に移動するように通知するステップ  のうちの１つを含む  ことを特徴とする請求項１に記載のベアラ処理方法。
【請求項３】
前記ソース基地局が前記ＬＩＰＡベアラを解放した後、  前記端末が前記非ＬＩＰＡベアラを介して前記ターゲット基地局にハンドオーバーするステップをさらに含む  ことを特徴とする請求項２に記載のベアラ処理方法。
【請求項４】
前記ソース基地局が前記ターゲット基地局の前記ＬＩＰＡ能力情報を取得する方法は、  スニフ機能エンティティによって前記ＬＩＰＡ能力情報を取得する方法、  前記端末が報知した前記ターゲット基地局の測定報告によって前記ＬＩＰＡ能力情報を取得する方法、及び、  ロングタームエボリューションＬＴＥプロトコルのＸ２インターフェースを介して前記ＬＩＰＡ能力情報を取得する方法  のうちの少なくとも１つを含む  ことを特徴とする請求項１に記載のベアラ処理方法。
【請求項５】
前記ソース基地局が前記ターゲット基地局の前記ＬＩＰＡ能力情報を取得するステップは、  前記ターゲット基地局が所属しているローカルネットワークの識別子、前記ターゲット基地局が接続されているローカルゲートウェイＬＧＷの識別子、前記ターゲット基地局が接続されているＬＧＷのアドレスのうちの少なくとも１つの前記ターゲット基地局の情報を取得するステップを含む  ことを特徴とする請求項１に記載のベアラ処理方法。
【請求項６】
前記ソース基地局が前記ＬＩＰＡ能力情報によって前記ターゲット基地局が前記端末の活性化されたＬＩＰＡベアラを保持するか否かを判断するステップは、  前記ソース基地局のローカルネットワーク識別子と前記ターゲット基地局が所属しているローカルネットワークの識別子とが一致している場合、前記ソース基地局が接続されているＬＧＷの識別子と前記ターゲット基地局が接続されているＬＧＷの識別子とが一致している場合、及び、前記ソース基地局が接続されているＬＧＷのアドレスと前記ターゲット基地局が接続されているＬＧＷのアドレスとが一致している場合のうちの少なくとも１つの場合に、前記ターゲット基地局が前記端末の活性化されたＬＩＰＡベアラを保持すると確定し、前記少なくとも１つの場合でなければ、前記ターゲット基地局が前記端末の活性化されたＬＩＰＡベアラを保持しないと確定するステップを含む  ことを特徴とする請求項５に記載のベアラ処理方法。
【請求項７】
前記ソース基地局が前記判断結果によって前記端末のＬＩＰＡベアラを管理するステップは、  前記判断結果が前記ターゲット基地局が端末の活性化されたＬＩＰＡベアラを保持するものである場合、前記ソース基地局が、前記端末に対して、前記ＬＩＰＡベアラを介して前記ターゲット基地局にハンドオーバーするように通知するステップをさらに含む  ことを特徴とする請求項１に記載のベアラ処理方法。
【請求項８】
ソース基地局に用いられるベアラ処理装置であって、  ターゲット基地局のローカルインターネットプロトコルアクセス（ＬＩＰＡ）能力情報を取得する取得モジュールと、  前記ＬＩＰＡ能力情報によって前記ターゲット基地局が端末の活性化されたＬＩＰＡベアラを保持するか否かを判断する判断モジュールと、  判断結果によって前記ＬＩＰＡベアラを管理する管理モジュールと  を備える  ことを特徴とするベアラ処理装置。
【請求項９】
前記管理モジュールは、  前記判断結果が否であり、且つ前記端末が非ＬＩＰＡベアラをサポートする場合、前記ＬＩＰＡベアラを解放する解放ユニットと、  前記判断結果が否であり、且つ前記端末がＬＩＰＡベアラのみをサポートする場合、前記端末に対して、前記ターゲット基地局に移動するように通知する第１の通知ユニットと  をさらに備える  ことを特徴とする請求項８に記載のベアラ処理装置。
【請求項１０】
前記管理モジュールは、  前記判断結果が前記ターゲット基地局が端末の活性化されたＬＩＰＡベアラを保持するものである場合、前記端末に対して、前記ＬＩＰＡベアラを介して前記ターゲット基地局にハンドオーバーするように通知する第２の通知ユニットをさらに備える  ことを特徴とする請求項８に記載のベアラ処理装置。
【請求項１１】
プロセッサーに実行されることにより請求項１〜７のいずれか１項に記載のベアラ処理方法を実現するプログラム。
【請求項１２】
請求項１１に記載のプログラムが記録された記録媒体。
【国際調査報告】
2017536728.tif 000014
2017536728.tif 000015
2017536728.tif 000016
2017536728.tif 000017